(57)【要約】  無線基地局設置時などにＲＬＣパラメータの変更と着信試験を実施する制御装置を提供する。無線通信を制御する制御装置（例えば、無線基地局１１０）であって、データを転送する通信部（１１９）と、無線リンク制御を行うＲＬＣ処理部（１１５）と、無線リンク制御に使用するパラメータを設定するＲＬＣパラメータ適用制御部（１１８）と、パラメータを含む報知情報を生成する報知情報生成部（１１４）と、通信部（１１９）を介して報知情報が通信端末（例えば、移動端末１２０）に報知された後、通信端末へ疑似着信を複数回行い、疑似着信に応じた応答を用いて疑似着信の成功率を測定する疑似着信制御部（１１７）と、を備え、ＲＬＣパラメータ適用制御部（１１８）は、疑似着信制御部（１１７）が測定した成功率に応じて、パラメータを更新する。
2011089671.tif 000002
【特許請求の範囲】
【請求項１】
無線通信を制御する制御装置であって、
データを転送する通信手段と、
無線リンク制御を行う無線リンク制御手段と、
無線リンク制御に使用するパラメータを設定するパラメータ制御手段と、
前記パラメータを含む報知情報を生成する報知情報生成手段と、
前記通信手段を介して前記報知情報が通信端末に報知された後、前記通信端末へ疑似着信を複数回行い、前記疑似着信に応じた応答を用いて前記疑似着信の成功率を測定する疑似着信制御手段と、を備え、
前記パラメータ制御手段は、前記疑似着信制御手段が測定した成功率に応じて、前記パラメータを更新する制御装置。
【請求項２】
前記疑似着信制御手段は、前記パラメータの設定を変更して前記疑似着信を複数回行い、異なるパラメータにおける疑似着信の成功率を測定することを特徴とする請求項１記載の制御装置。
【請求項３】
前記パラメータは、無線リンク制御で使用する最大再送回数と応答タイマ値との少なくとも一方を含むことを特徴とする請求項１または２記載の制御装置。
【請求項４】
前記パラメータ制御手段は、前記最大再送回数を設定し、前記疑似着信制御手段へ成功率の測定を指示し、
前記疑似着信制御手段は、任意の回数の疑似着信を行った後、前記成功率を測定し、
前記パラメータ制御手段は、前記成功率に応じて、前記最大再送回数を決定することを特徴とする請求項３記載の制御装置。
【請求項５】
前記パラメータ制御手段は、前記応答タイマ値を設定し、前記疑似着信制御手段へ成功率の測定を指示し、
前記疑似着信制御手段は、任意の回数の疑似着信を行った後、前記成功率を測定し、
前記パラメータ制御手段は、前記成功率に応じて、前記応答タイマ値を決定することを特徴とする請求項３または４記載の制御装置。
【請求項６】
前記疑似着信制御手段は、パラメータの設定が必要なときであって、通信端末が自装置の制御領域に存在するときに起動されることを特徴とする請求項１乃至５のいずれか一項に記載の制御装置。
【請求項７】
前記制御装置は、無線通信を制御する無線基地局と、前記無線基地局を制御する基地局制御局とのいずれか一方であることを特徴とする請求項１乃至６のいずれか一項に記載の制御装置。
【請求項８】
制御装置が通信端末の無線通信を制御する移動通信システムであって、
前記制御装置は、
データを転送する通信手段と、
無線リンク制御を行う無線リンク制御手段と、
無線リンク制御に使用するパラメータを設定するパラメータ制御手段と、
前記パラメータを含む報知情報を生成する報知情報生成手段と、
前記通信手段を介して前記報知情報が通信端末に報知された後、前記通信端末へ疑似着信を複数回行い、前記疑似着信に応じた応答を用いて前記疑似着信の成功率を測定する疑似着信制御手段と、を備え、
前記パラメータ制御手段は、前記疑似着信制御手段が測定した成功率に応じて、前記パラメータを更新し、
前記通信端末は、
前記報知情報に含まれるパラメータを用いて、自装置内のパラメータ値を更新する報知情報受信部と、
前記疑似着信を受信する端末無線受信部と、
前記疑似着信に応じた応答を送信する端末無線送信部と、を備える移動通信システム。
【請求項９】
移動通信システムの制御装置が無線リンク制御に使用するパラメータを設定する無線通信制御方法であって、
前記パラメータを設定し、
前記パラメータを含む報知情報を生成し、
前記報知情報が通信端末に通信手段を介して報知し、
前記通信端末へ疑似着信を複数回行い、
前記通信端末からの応答に応じて、前記疑似着信の成功率を測定し、
測定した成功率に応じて、前記パラメータを更新する無線通信制御方法。
【請求項１０】
移動通信システムの制御装置が無線リンク制御に使用するパラメータを設定する無線通信制御方法を実現するプログラムが格納された非一時的なコンピュータ可読媒体であって、
コンピュータに、
前記パラメータを設定するパラメータ制御手順と、
前記パラメータを含む報知情報を生成する報知情報生成手順と、
前記通信手段を介して前記報知情報が通信端末に報知された後、前記通信端末へ疑似着信を複数回行い、前記疑似着信に応じた応答を用いて前記疑似着信の成功率を測定する疑似着信制御手順と、
測定した成功率に応じて、前記パラメータを更新するパラメータ更新手順と、を実行させるプログラムが格納された非一時的なコンピュータ可読媒体。
【発明の詳細な説明】
【技術分野】
【０００１】
本発明は、移動通信システムの無線リンクを制御する制御装置に関し、特に無線リンク制御に使用するパラメータの設定に関する。
【背景技術】
【０００２】
移動通信システムでは、無線基地局を設置するときに、無線リンク制御に使用するパラメータを設定する必要がある。無線基地局において、パラメータを設定する移動通信システムを図７を参照して説明する。
図７において、無線基地局９１０は、無線受信部９１１、無線送信部９１２、局データ部９１３、報知情報生成部９１４、ＲＬＣ処理部９１５、及びＭＡＣ処理部９１６を備える。移動端末９２０は、無線受信部９２１、無線送信部９２２、ＭＡＣ処理部９２３、ＲＬＣ処理部９２４、及び報知情報受信部９２５を備える。【０００３】
無線基地局９１０の局データ部９１３は前もって設定されたＲＬＣパラメータ値を保持する。
無線基地局９１０の報知情報生成部９１４は局データ部９１３からＲＬＣパラメータ値を取得し、移動端末９２０に報知する。
無線基地局９１０のＲＬＣ処理部９１５はＲＬＣパラメータを局データ部９１３から取得し、無線リンク制御を行う。
無線基地局９１０のＭＡＣ（Media Access Control）処理部９１６は無線リソースの割当制御などを行う。
無線基地局９１０の無線送信部９１２はＭＡＣ処理部９１６から受けた送信データを移動端末９２０に送信する。
無線基地局９１０の無線受信部９１１はＭＡＣ処理部９１６へ受信データを移動端末９２０に渡す。【０００４】
移動端末９２０の無線受信部９２１は無線基地局９１０から受信したデータをＭＡＣ処理部９２６に渡す。
移動端末９２０の無線送信部９２２はＭＡＣ処理部９１６から受けたデータを無線基地局９１０に送信する。
移動端末９２０のＭＡＣ処理部９２３は無線リソースの割当制御などを行う。
移動端末９２０のＲＬＣ処理部９２４は無線リンク制御を行う。
移動端末９２０の報知情報受信部９２５は受信した報知情報から指示されたＲＬＣパラメータ値でＲＬＣパラメータを更新する。【０００５】
また、特許文献１には、伝送されるべき各パケットに要求されているサービス品質（Quality of Service : QoS）に応じて、各パケットを無線伝送する際の無線パラメータを適応的に設定する適応無線パラメータ制御方法が開示されている。
【先行技術文献】
【特許文献】
【０００６】
【特許文献１】特開２００８−２９５０７０号公報
【発明の概要】
【発明が解決しようとする課題】
【０００７】
しかしながら、関連する無線システムにおいては、ＲＬＣパラメータは、無線基地局毎にフィールド試験を実施し、人手によりパラメータを変え、着信試験を行い、着信成功率が高くなるＲＬＣパラメータを見つけていた。このため、多くのコストと時間を費やしていた。また、特許文献１の技術では、無線基地局を設置する際に、着信成功率の高いパラメータを設定する手段に用いることは困難であった。【０００８】
本発明の目的は、ＲＬＣパラメータの変更と着信試験を実施する制御装置及び方法を提供することにある。
【課題を解決するための手段】
【０００９】
本発明に係る制御装置（例えば、無線基地局、または基地局制御局など）の一態様は、無線通信を制御する制御装置であって、データを転送する通信部、無線リンク制御を行う無線リンク制御部、パラメータ制御部、報知情報生成部、及び疑似着信制御部を備える。パラメータ制御部は、無線リンク制御に使用するパラメータを設定する。報知情報生成部は、パラメータを含む報知情報を生成する。疑似着信制御部は、通信部を介して報知情報が通信端末に報知された後、通信端末へ疑似着信を複数回行い、疑似着信に応じた応答を用いて疑似着信の成功率を測定する。さらに、パラメータ制御部は、疑似着信制御部が測定した成功率に応じて、パラメータを更新する。【００１０】
また、本発明に係る移動通信システムの一態様は、制御装置が通信端末の無線通信を制御する移動通信システムである。制御装置は、上述したとおり、通信部、無線リンク制御部、パラメータ制御部、報知情報生成部、及び疑似着信制御部を備える。また、通信端末は、報知情報に含まれるパラメータを用いて、自装置内のパラメータ値を更新する報知情報受信部と、疑似着信を受信する端末無線受信部と、疑似着信に応じた応答を送信する端末無線送信部と、を備える。【００１１】
さらに、本発明に係る無線通信制御方法の一態様は、移動通信システムの制御装置が無線リンク制御に使用するパラメータを設定する無線通信制御方法であって、パラメータを設定し、パラメータを含む報知情報を生成し、報知情報が通信端末に通信部を介して報知し、通信端末へ疑似着信を複数回行い、通信端末からの応答に応じて、疑似着信の成功率を測定し、測定した成功率に応じて、パラメータを更新する。【００１２】
本発明に係る非一時的なコンピュータ可読媒体の一態様は、移動通信システムの制御装置が無線リンク制御に使用するパラメータを設定する無線通信制御方法を実現するプログラムが格納される。プログラムは、コンピュータに、（１）パラメータを設定するパラメータ制御手順、（２）パラメータを含む報知情報を生成する報知情報生成手順、（３）通信部を介して報知情報が通信端末に報知された後、通信端末へ疑似着信を複数回行い、疑似着信に応じた応答を用いて疑似着信の成功率を測定する疑似着信制御手順、及び（４）測定した成功率に応じて、パラメータを更新するパラメータ更新手順、を実行させる。
【発明の効果】
【００１３】
本発明によれば、無線基地局設置時などにＲＬＣパラメータの変更と着信試験を実施する制御装置及び方法を提供することが可能となる。
【図面の簡単な説明】
【００１４】
【図１】本発明の実施形態１に係る移動通信システムの構成例を示すブロック図である。
【図２】実施形態１のＲＬＣ最大再送回数を求める動作例を示すタイミングチャートである。
【図３】実施形態１のＲＬＣ応答タイマ値を求める動作例を示すタイミングチャートである。
【図４】本発明の実施形態２に係る移動通信システムの構成例を示すブロック図である。
【図５】６Ｔ周期の定常波が存在する場合の動作例を示す図である。
【図６】Ｔａ周期の定常波が存在する場合の動作例を示す図である。
【図７】関連する移動通信システムの構成例を示すブロック図である。
【発明を実施するための形態】
【００１５】
以下、本発明の実施形態について、図面を参照しながら説明する。説明の明確化のため、以下の記載及び図面は、適宜、省略、及び簡略化がなされている。各図面において同一の構成または機能を有する構成要素および相当部分には、同一の符号を付し、その説明は省略する。
【００１６】
本発明は、移動通信システムにおいて、ＳＯＮ（Self Organized Network）として、無線システムを構築するために細かな調整や設定が必要となるＲＬＣ（Radio Link Control）パラメータ（単に、「パラメータ」ともいう）を、無線環境に応じて、適切な値を決める。当該移動通信システムは、無線通信回線を使用し、例えば、適用ＲＬＣ再送無線システムを採用する。移動通信システムは、例えば、無線通信を制御する制御装置を備える。より具体的には、移動通信システムは、無線基地局、無線基地局を制御する基地局制御局を含む。無線基地局は、電波を発信または受信して，移動端末との通信回線を確保する装置であり、フェムト基地局を含む。基地局制御局は、無線基地局を制御する装置である。制御装置を設置する場合に、上述したＲＬＣパラメータの設定が必要となる。ＲＬＣパラメータには、例えば、ＲＬＣ最大再送回数（単に「最大再送回数」とも称する）、ＲＬＣ応答タイマ値（単に「応答タイマ値」とも称する）が含まれる。
【００１７】
実施形態１
実施形態１では、本発明の制御装置を無線基地局によって実現する一態様を説明する。
図１は、本発明の実施形態１に係る移動通信システムの構成例を示すブロック図である。図１において、移動通信システムは、無線通信回線を提供するシステムであり、無線基地局１１０と移動端末１２０から構成される。無線基地局１１０は、無線受信部１１１、無線送信部１１２、報知情報生成部１１４、ＲＬＣ処理部（無線リンク制御部）１１５、ＭＡＣ処理部１１６、疑似着信制御部１１７、及びＲＬＣパラメータ適用制御部（パラメータ制御部）１１８を備える。移動端末１２０は、無線受信部１２１、無線送信部１２２、ＭＡＣ処理部１２３、ＲＬＣ処理部１２４、及び報知情報受信部１２５を備える。
【００１８】
移動端末１２０は、必ずしも移動可能な端末である必要はなく、移動通信システムが提供する無線通信回線を用いて通信する通信端末であればよい。また、移動端末１２０において、無線基地局１１０と同じ名称の構成要素を備える場合、構成要素の名称に「端末」を付加して区別することがある。例えば、「無線受信部」を「端末無線受信部」として区別する。
【００１９】
無線基地局１１０のＲＬＣ処理部１１５は無線リンク制御を行う。
無線基地局１１０のＭＡＣ処理部１１６は無線リソースの割当制御などを行う。
無線基地局１１０の無線送信部１１２はＭＡＣ処理部１１６から受けた送信データを移動端末１２０に送信する。
無線基地局１１０の無線受信部１１１はＭＡＣ処理部１１６へ受信データを移動端末１２０に渡す。
なお、無線受信部１１１、無線送信部１１２、及びＭＡＣ処理部１１６を通信部１１９ということもある。通信部１１９は、データを転送する機能を有し、具体的には移動端末１２０との間のデータ転送を実現する。
【００２０】
移動端末１２０の無線受信部１２１は無線基地局１１０から受信したデータをＭＡＣ処理部１２３に渡す。
移動端末１２０の無線送信部１２２はＭＡＣ処理部１２３から受けたデータを無線基地局１１０に送信する。
移動端末１２０のＭＡＣ処理部１２３は無線リソースの割当制御などを行う。
移動端末１２０のＲＬＣ処理部１２４は無線リンク制御を行う。
なお、図示していないが、無線基地局１１０と同様に移動端末１２０においても、無線受信部１２１、無線送信部１２２、及びＭＡＣ処理部１２３を端末通信部ということもある。
【００２１】
無線基地局１１０の疑似着信制御部１１７は移動端末１２０に対して疑似着信処理を行い、疑似着信の成功率を測定し、ＲＬＣパラメータ適用制御部１１８に送る。
無線基地局１１０のＲＬＣパラメータ適用制御部１１８は、無線リンク制御に使用するＲＬＣパラメータを設定する。具体的には、ＲＬＣパラメータ適用制御部１１８は、まず、ＲＬＣパラメータであるＲＬＣ最大再送回数、ＲＬＣ応答タイマ値を変化させることを、上りリンクについては報知情報生成部１１４に、下りリンクについてはＲＬＣ制御部に指示する。次に、疑似着信制御部１１７に疑似着信の成功率を測定させ、成功率の高いパラメータ値を求める。そして、ＲＬＣパラメータ適用制御部１１８は、上りリンクについては報知情報生成部１１４に、下りリンクについてはＲＬＣ制御部に指示する。
【００２２】
無線基地局１１０の報知情報生成部１１４はＲＬＣパラメータ適用制御部１１８に指示されたＲＬＣパラメータで報知情報を更新し、無線基地局１１０を介して、移動端末１２０に報知する。
移動端末１２０の報知情報受信部１２５は受信した報知情報から指示されたＲＬＣパラメータ値でＲＬＣパラメータを更新する。
【００２３】
次に、移動通信システムがＲＬＣのパラメータを設定する動作（パラメータ制御処理）を説明する。パラメータ制御処理の概略は次の通りである。（Ａ）任意のＲＬＣパラメータを設定し、設定したＲＬＣパラメータを用いて疑似着信を複数回実施する。（Ｂ）疑似着信への着信応答を利用して、応答率を測定する。（Ｃ）設定するＲＬＣパラメータを変更して疑似着信を繰り返し、異なるパラメータに応じた応答率を測定する。（Ｄ）応答率に応じて、適切なＲＬＣパラメータを検出し、設定（更新する）。以下に図面を用いて詳細に説明する。
【００２４】
図２は、実施形態１のＲＬＣ最大再送回数を求める動作例を示すタイミングチャートである。図２を用いて、図１の移動通信システムに在圏した端末に対して、無線基地局１１０が疑似着信を行い、最適なＲＬＣ最大再送回数を求める動作を説明する。
無線基地局１１０の設置時に、無線基地局１１０の制御領域内に移動端末１２０が在圏（Camp On）している状態で、無線基地局１１０は、パラメータ制御処理（最大再送回数決定処理）を起動する（Ｓ１１）。
【００２５】
パラメータ制御処理が起動されると、ＲＬＣパラメータ適用制御部１１８は、ＲＬＣ最大再送信回数を１に設定し、無線基地局１１０のＲＬＣ処理部１１５に通知する。また、ＲＬＣパラメータ適用制御部１１８は、設定したＲＬＣ最大再送信回数を報知情報生成部１１４に通知する。報知情報生成部１１４は、報知情報を更新し、無線基地局１１０は、ＲＬＣ処理部１１５、ＭＡＣ処理部１１６、及び無線送信部１１２を介して報知情報を移動端末１２０に送信する。
移動端末１２０は、報知情報を報知情報受信部１２５で受信し、移動端末１２０のＲＬＣ処理部１２４に設定する。
【００２６】
無線基地局１１０の疑似着信制御部１１７は、疑似着信を端末に対して送信する（Ｓ１２）。
移動端末１２０は疑似着信を受信した場合、着信応答を無線基地局１１０に返す（Ｓ１３）。
無線基地局１１０の疑似着信制御部１１７は、疑似着信をＮ（Ｎは１以上の任意の数）回繰り返し、疑似着信応答率を測定する（Ｓ１４）。
【００２７】
次に、ＲＬＣパラメータ適用制御部１１８は、ＲＬＣ最大再送信回数を２に設定し、無線基地局１１０のＲＬＣ処理部１１５に通知する。また、ＲＬＣパラメータ適用制御部１１８は、設定したＲＬＣ最大再送信回数を報知情報生成部１１４に通知する。報知情報生成部１１４は、報知情報を更新し、無線基地局１１０は、報知情報を移動端末１２０に送信する。
移動端末１２０は、報知情報を報知情報受信部１２５で受信し、移動端末１２０のＲＬＣ処理部１２４に設定する。
無線基地局１１０の疑似着信制御部１１７が疑似着信を端末に対して送信する（Ｓ１５）。
移動端末１２０は疑似着信を受信した場合は、着信応答を無線基地局１１０に返す（Ｓ１６）。
無線基地局１１０の疑似着信制御部１１７は、疑似送信をＮ回繰り返し、疑似着信応答率を測定する（Ｓ１７）。
【００２８】
このように、無線基地局１１０は、ＲＬＣ最大再送回数を１加算して、ＲＬＣ最大再送回数がＭ（Ｍは１以上の任意の数）になるまでＲＬＣ最大再送回数の更新・疑似応答率計算を繰り返し実施する。ＲＬＣパラメータ適用制御部１１８は、疑似着信応答率が良い、最小のＲＬＣ最大再送回数を求め、ＲＬＣ最大再送回数を決定する（Ｓ１８）。ここでは、ＲＬＣパラメータ適用制御部１１８は、ＲＬＣ最大再送回数を１加算する場合を説明したが、１以外の整数値を加算する場合であってもかまわない。
【００２９】
図３は、実施形態１のＲＬＣ応答タイマ値を求める動作例を示すタイミングチャートである。図３を用いて、図１の移動通信システムに在圏した端末に対して、無線基地局１１０が疑似着信を行い、最適なＲＬＣ応答タイマ値を求める動作を説明する。
無線基地局１１０の設置時に、無線基地局１１０の制御領域内に移動端末１２０が在圏している状態で、無線基地局１１０は、パラメータ制御処理（応答タイマ値決定処理）を起動する（Ｓ２１）。
【００３０】
パラメータ制御処理が起動されると、ＲＬＣパラメータ適用制御部１１８は、ＲＬＣ応答タイマをＴ１に設定し、無線基地局１１０のＲＬＣ処理部１１５に通知する。また、ＲＬＣパラメータ適用制御部１１８は、設定したＲＬＣ応答タイマ値を報知情報生成部１１４に通知する。報知情報生成部１１４は、報知情報を更新し、無線基地局１１０は、ＲＬＣ処理部１１５、ＭＡＣ処理部１１６、及び無線送信部１１２を介して報知情報を移動端末１２０に送信する。
移動端末１２０は、報知情報を報知情報受信部１２５で受信し、移動端末１２０のＲＬＣ処理部１２４に設定する。
【００３１】
無線基地局１１０の疑似着信制御部１１７は、疑似着信を端末に対して送信する（Ｓ２２）。
移動端末１２０は疑似着信を受信した場合、着信応答を無線基地局１１０に返す（Ｓ２３）。
無線基地局１１０の疑似着信制御部１１７は、疑似着信をＮ回繰り返し、疑似着信応答率を測定する（Ｓ２４）。なお、Ｎは、図２で説明したパラメータ制御処理と同じであっても異なっていてもよい。
【００３２】
次に、ＲＬＣパラメータ適用制御部１１８は、ＲＬＣ応答タイマをＴ２に設定し、無線基地局１１０のＲＬＣ処理部１１５に通知する。また、ＲＬＣパラメータ適用制御部１１８は、設定したＲＬＣ応答タイマ値を報知情報生成部１１４に通知する。報知情報生成部１１４は、報知情報を更新し、無線基地局１１０は、報知情報を移動端末１２０に送信する。
移動端末１２０は、報知情報を報知情報受信部１２５で受信し、移動端末１２０のＲＬＣ処理部１２４に設定する。
無線基地局１１０の疑似着信制御部１１７が疑似着信を端末に対して送信する（Ｓ２５）。
移動端末１２０は疑似着信を受信した場合は、着信応答を無線基地局１１０に返す（Ｓ２６）。
無線基地局１１０の疑似着信制御部１１７は、疑似送信をＮ回繰り返し、疑似着信応答率を測定する（Ｓ２７）。
【００３３】
このように、無線基地局１１０は、ＲＬＣ応答タイマをＴ１からＴｍ（ｍは１以上の任意の数）まで更新して、ＲＬＣ応答タイマがＴｍになるまでＲＬＣ応答タイマ値の更新・疑似応答率計算を繰り返し実施する。ここでは、Ｔ１からＴｍはＲＬＣ応答タイマ値であり、無線基地局１１０は、Ｔ１からＴｍまでのｍ個のＲＬＣ応答タイマ値を用いることを前提とする。
ＲＬＣパラメータ適用制御部１１８は、疑似着信応答率が良い、最小のＲＬＣ応答タイマ値を求め、ＲＬＣ応答タイマ値を決定する（Ｓ２８）。
【００３４】
ＲＬＣパラメータ適用制御部１１８は、パラメータ制御処理において設定するパラメータ（例えば、最大再送回数）の初期値を予め自装置内の記録領域に保持し、初期値を１ずつ加算して使用してもよい。あるいは、Ｍ個の異なるパラメータを当該記憶領域に保持していてもよい。また、ＲＬＣパラメータ適用制御部１１８は、当該初期値に加算する数値を保持していてもよい。あるいは、ＲＬＣパラメータ適用制御部１１８は、パラメータ制御処理において設定するパラメータ（例えば、応答タイマ値）のｍ個の候補値を予め自装置内の記録領域に保持し、保持するパラメータを順番に使用してもよい。
【００３５】
さらに、ＲＬＣパラメータ適用制御部１１８は、初期値、加算する数値、異なるパラメータを用いる回数となる（異なるパラメータの種類数）Ｍ、などの疑似着信の応答率を測定するために用いる情報を外部から取得してよい。外部から取得する方法としては、利用者（管理者）にインターフェース（例えば入力画面）を提供し、インターフェースを介して入力させる、または、複数の候補値の中から選択する情報を入力させる方法、利用者がインターフェースなどを介して入力した情報を通信回線を介して受信する方法、を利用することが可能である。また、これらの方法に限らず、ＲＬＣパラメータ適用制御部１１８は、ＲＬＣパラメータの候補値として用いる情報を取得してもよい。
【００３６】
以上説明したように、本実施形態においては、以下に記載するような効果を奏する。
第１の効果は、無線環境に応じて、自動でＲＬＣ最大再送回数、ＲＬＣ応答タイマ値を決めているので、様々な定常波が存在する無線環境に於いて、定常波の波長に応じた値を自動で設定できることである。
第２の効果は、無線基地局１１０毎に調整が必要なＲＬＣパラメータを自動で設定しているので、無線基地局１１０毎に保守者の現地測定による調整が不用とできることである。
【００３７】
実施形態２
実施形態２では、図１と同様の基本的構成であるが、図１の無線基地局１１０を、無線基地局１３０と基地局制御局１４０とから構成する一態様を説明する。図４は、本発明の実施形態２に係る移動通信システムの構成例を示すブロック図である。無線基地局１３０は、無線受信部１１１、無線送信部１１２、及び基地局制御局Ｉ／Ｆ部１３１を備える。また、基地局制御局１４０は、報知情報生成部１１４、ＲＬＣ処理部１１５、ＭＡＣ処理部１１６、疑似着信制御部１１７、ＲＬＣパラメータ適用制御部１１８、及び無線基地局Ｉ／Ｆ部１４１を備える。
【００３８】
基地局制御局１４０の無線基地局Ｉ／Ｆ部１４１はＭＡＣ処理部１１６との送受信データの受け渡し、及び、無線基地局１３０とデータの送受信を行う。
基地局制御局１４０の報知情報生成部１１４、ＲＬＣ処理部１１５、ＭＡＣ処理部１１６、疑似着信制御部１１７、ＲＬＣパラメータ適用制御部１１８は、実施形態１の同じ名称・符号の構成要素と同様である。また、通信部１４２は、ＭＡＣ処理部１１６と無線基地局Ｉ／Ｆ部１４１とを含む。
【００３９】
無線基地局１３０の基地局制御局Ｉ／Ｆ部１３１は基地局制御局１４０とデータの送受信、無線送信部１１２へのデータ渡し、無線受信部１１１からのデータ受け行う。
無線基地局１３０の無線送信部１１２は基地局制御局Ｉ／Ｆ部１３１から受けた送信データを移動端末１２０に送信する。
無線基地局１３０の無線受信部１１１は基地局制御局Ｉ／Ｆ部１３１へ受信データを移動端末１２０に渡す。
【００４０】
移動端末１２０の無線受信部１２１は無線基地局１３０から受信したデータをＭＡＣ処理部１２３に渡す。
移動端末１２０の無線送信部１２２はＭＡＣ処理部１２３から受けたデータを無線基地局１３０に送信する。
移動端末１２０のＭＡＣ処理部１２３、ＲＬＣ処理部１２４、報知情報受信部１２５は実施形態１の同じ名称・符号の構成要素と同様である。
【００４１】
このように、本実施形態では、無線基地局１３０と基地局制御局１４０とを分離した構成としている。このため、制御装置が無線基地局と基地局制御局とから構成される移動通信システムにも本発明を適用できるという効果が得られる。
【００４２】
その他の実施形態
上記各実施形態では、ＲＬＣパラメータとして、ＲＬＣ最大再送回数と応答待タイマ値とを用いて説明したが、その他のパラメータの値を設定する場合であってもよい。
例えば、3GPP TS25.322 Radio Link Control (RLC) protocol specification (http://www.3gpp.org/ftp/Specs/archive/25_series/25.322/25322-860.zip)の、9.5 Timers、9.6 Protocol Parametersに記載されたパラメータの値を設定する場合に適用することもできる。具体的なパラメータの一例を以下に示す。
9.5 Timers
a) Timer_Poll.
b) Timer_Poll_Prohibit.
d) Timer_Discard.
e) Timer_Poll_Periodic.
f) Timer_Status_Prohibit.
g) Timer_Status_Periodic.
h) Timer_RST.
i) Timer_MRW.
j) Timer_OSD.
k) Timer_DAR.
9.6 Protocol Parameters
a) MaxDAT.
b) Poll_PDU.
c) Poll_SDU.
d) Poll_Window.
e) MaxRST.
f) Configured_Tx_Window_Size.
g) Configured_Rx_Window_Size.
h) MaxMRW.
i) OSD_Window_Size.
j) DAR_Window_Size.
【００４３】
また、制御装置（無線基地局、基地局制御局）が、パラメータ制御処理を実施するタイミングは、無線基地局を設置する場合に限定されることはない。例えば、通信回線の環境が変化する場合にパラメータ制御処理を実施してもよい。また、任意の期間（例えば、定期的に）にパラメータ制御処理を実施してもよい。
制御装置は、外部からの指示を受信することによって、パラメータ制御処理を実施する機能を有するように構成してもよい。例えば、無線回線の管理者や無線基地局の設置を行う利用者は、起動メッセージを含む情報（パラメータ制御処理指示情報）を制御装置へ送信する。制御装置は、パラメータ制御処理指示情報を受信し、パラメータ制御処理を起動するようにしてもよい。
【００４４】
また、制御装置が実現するパラメータ制御処理は、コンピュータに各手段を実行させるプログラムによって実現することができる。プログラムは、コンピュータ内のメモリにロードされ、ＣＰＵ（Central Processing Unit）の制御のもとで実行される。
プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００４５】
プログラムは、少なくとも次の手段を備える。（１）パラメータを設定するパラメータ制御手順、（２）パラメータを含む報知情報を生成する報知情報生成手順、（３）通信部を介して報知情報が通信端末に報知された後、通信端末へ疑似着信を複数回行い、疑似着信に応じた応答を用いて疑似着信の成功率を測定する疑似着信制御手順、（４）測定した成功率に応じて、パラメータを更新するパラメータ更新手順。ここで、パラメータ制御手順とパラメータ更新手順とは、図１、６では、ＲＬＣパラメータ適用制御部１１８の機能に相当する。報知情報生成手順は、報知情報生成部１１４の機能に相当し、そして、疑似着信制御手順は、疑似着信制御部１１７の機能に相当する。
【００４６】
ここで、パラメータ制御処理が起動された場合のパラメータ制御の具体例を説明する。
例えば、図５のような６Ｔ周期のスローフェージング（定常波）が存在する場合、ＲＬＣ応答待ちタイマＴで最大再送回数６以上の場合に応答成功の割合が高くなる。このような場合、在圏した端末に対して、無線基地局、例えばフェムト基地局が疑似着信を行い、成功率を計測することで、最適なＲＬＣ最大再送回数の６を求める。
【００４７】
また、例えば図６のようなＴａ周期のフェージング（定常波）が存在する場合、ＲＬＣ応答待ちタイマＴがＴ６より大きい応答成功の割合が高くなる。このような場合、在圏した端末に対して、無線基地局が疑似着信を行い、最適なＲＬＣ応答タイマ値をＴ６求める。
図５、６において、移動通信システムが図２に示す制御装置を備える場合、基地局制御局１４０が無線基地局１３０を介して疑似着信を実施する。
【００４８】
以上のように、上記各実施形態では、無線基地局設置時などに人手を介さずに自動でＲＬＣパラメータ変更と着信試験を実施し、成功率の高いＲＬＣパラメータを決めることができる手段を提供することができる。
【００４９】
以上、実施の形態を参照して本願発明を説明したが、本願発明は上記によって限定されるものではない。本願発明の構成や詳細には、発明のスコープ内で当業者が理解し得る様々な変更をすることができる。
【００５０】
この出願は、２０１０年１月２２日に出願された日本出願特願２０１０−０１１８５７を基礎とする優先権を主張し、その開示の全てをここに取り込む。
【００５１】
上記の実施形態の一部または全部は、以下の付記のようにも記載されうるが、以下には限られない。
【００５２】
（付記１）無線通信を制御する制御装置であって、
データを転送する通信手段と、
無線リンク制御を行う無線リンク制御手段と、
無線リンク制御に使用するパラメータを設定するパラメータ制御手段と、
前記パラメータを含む報知情報を生成する報知情報生成手段と、
前記通信手段を介して前記報知情報が通信端末に報知された後、前記通信端末へ疑似着信を複数回行い、前記疑似着信に応じた応答を用いて前記疑似着信の成功率を測定する疑似着信制御手段と、を備え、
前記パラメータ制御手段は、前記疑似着信制御手段が測定した成功率に応じて、前記パラメータを更新する制御装置。
【００５３】
（付記２）前記疑似着信制御手段は、前記パラメータの設定を変更して前記疑似着信を複数回行い、異なるパラメータにおける疑似着信の成功率を測定することを特徴とする付記１記載の制御装置。
【００５４】
（付記３）前記パラメータは、無線リンク制御で使用する最大再送回数と応答タイマ値との少なくとも一方を含むことを特徴とする付記２または３記載の制御装置。
【００５５】
（付記４）前記パラメータ制御手段は、前記最大再送回数を設定し、前記疑似着信制御手段へ成功率の測定を指示し、
前記疑似着信制御手段は、任意の回数の疑似着信を行った後、前記成功率を測定し、
前記パラメータ制御手段は、前記成功率に応じて、前記最大再送回数を決定することを特徴とする付記３記載の制御装置。
【００５６】
（付記５）前記パラメータ制御手段は、前記応答タイマ値を設定し、前記疑似着信制御手段へ成功率の測定を指示し、
前記疑似着信制御手段は、任意の回数の疑似着信を行った後、前記成功率を測定し、
前記パラメータ制御手段は、前記成功率に応じて、前記応答タイマ値を決定することを特徴とする付記３または４記載の制御装置。
【００５７】
（付記６）前記疑似着信制御手段は、パラメータの設定が必要なときであって、通信端末が自装置の制御領域に存在するときに起動されることを特徴とする付記１乃至５のいずれか一つに記載の制御装置。
【００５８】
（付記７）前記制御装置は、無線通信を制御する無線基地局と、前記無線基地局を制御する基地局制御局とのいずれか一方であることを特徴とする付記１乃至６のいずれか一つに記載の制御装置。
【００５９】
（付記８）制御装置が通信端末の無線通信を制御する移動通信システムであって、
前記制御装置は、
データを転送する通信手段と、
無線リンク制御を行う無線リンク制御手段と、
無線リンク制御に使用するパラメータを設定するパラメータ制御手段と、
前記パラメータを含む報知情報を生成する報知情報生成手段と、
前記通信手段を介して前記報知情報が通信端末に報知された後、前記通信端末へ疑似着信を複数回行い、前記疑似着信に応じた応答を用いて前記疑似着信の成功率を測定する疑似着信制御手段と、を備え、
前記パラメータ制御手段は、前記疑似着信制御手段が測定した成功率に応じて、前記パラメータを更新し、
前記通信端末は、
前記報知情報に含まれるパラメータを用いて、自装置内のパラメータ値を更新する報知情報受信部と、
前記疑似着信を受信する端末無線受信部と、
前記疑似着信に応じた応答を送信する端末無線送信部と、を備える移動通信システム。
【００６０】
（付記９）移動通信システムの制御装置が無線リンク制御に使用するパラメータを設定する無線通信制御方法であって、
前記パラメータを設定し、
前記パラメータを含む報知情報を生成し、
前記報知情報が通信端末に通信手段を介して報知し、
前記通信端末へ疑似着信を複数回行い、
前記通信端末からの応答に応じて、前記疑似着信の成功率を測定し、
測定した成功率に応じて、前記パラメータを更新する無線通信制御方法。
【００６１】
（付記１０）移動通信システムの制御装置が無線リンク制御に使用するパラメータを設定する無線通信制御方法を実現するプログラムが格納された非一時的なコンピュータ可読媒体であって、
コンピュータに、
前記パラメータを設定するパラメータ制御手順と、
前記パラメータを含む報知情報を生成する報知情報生成手順と、
前記通信手段を介して前記報知情報が通信端末に報知された後、前記通信端末へ疑似着信を複数回行い、前記疑似着信に応じた応答を用いて前記疑似着信の成功率を測定する疑似着信制御手順と、
測定した成功率に応じて、前記パラメータを更新するパラメータ更新手順と、を実行させるプログラムが格納された非一時的なコンピュータ可読媒体。
【００６２】
（付記１１）前記パラメータ制御手段は、前記成功率が最大であるときのパラメータの値を選択することを特徴とする付記１乃至７のいずれか一つに記載の制御装置。
【符号の説明】
【００６３】
１１０、１３０  無線基地局
１１１、１２１  無線受信部
１１２、１２２  無線送信部
１１４  報知情報生成部
１１５、１２４  ＲＬＣ処理部（無線リンク制御部）
１１６  ＭＡＣ処理部
１１７  疑似着信制御部
１１８  ＲＬＣパラメータ適用制御部（パラメータ制御部）
１１９、１４２  通信部
１２０  移動端末
１２３  ＭＡＣ処理部
１２５  報知情報受信部
１３１  基地局制御局Ｉ／Ｆ部
１４０  基地局制御局
１４１  無線基地局Ｉ／Ｆ部
【図１】
2011089671.tif 000003
【図２】
2011089671.tif 000004
【図３】
2011089671.tif 000005
【図４】
2011089671.tif 000006
【図５】
2011089671.tif 000007
【図６】
2011089671.tif 000008
【図７】
2011089671.tif 000009
【手続補正書】
【提出日】平成24年5月25日(2012.5.25)
【手続補正１】
【補正対象書類名】特許請求の範囲
【補正対象項目名】全文
【補正方法】変更
【補正の内容】
【特許請求の範囲】
【請求項１】
無線通信を制御する制御装置であって、
データを転送する通信手段と、
無線リンク制御を行う無線リンク制御手段と、
無線リンク制御に使用するパラメータを設定するパラメータ制御手段と、
前記パラメータを含む報知情報を生成する報知情報生成手段と、
前記通信手段を介して前記報知情報が通信端末に報知された後、前記通信端末へ疑似着信を複数回行い、前記疑似着信に応じた応答を用いて前記疑似着信の成功率を測定する疑似着信制御手段と、を備え、
前記パラメータ制御手段は、前記疑似着信制御手段が測定した成功率に応じて、前記パラメータを更新する制御装置。
【請求項２】
前記疑似着信制御手段は、前記パラメータの設定を変更して前記疑似着信を複数回行い、異なるパラメータにおける疑似着信の成功率を測定することを特徴とする請求項１記載の制御装置。
【請求項３】
前記パラメータは、無線リンク制御で使用する最大再送回数と応答タイマ値との少なくとも一方を含むことを特徴とする請求項１または２記載の制御装置。
【請求項４】
前記パラメータ制御手段は、前記最大再送回数を設定し、前記疑似着信制御手段へ成功率の測定を指示し、
前記疑似着信制御手段は、任意の回数の疑似着信を行った後、前記成功率を測定し、
前記パラメータ制御手段は、前記成功率に応じて、前記最大再送回数を決定することを特徴とする請求項３記載の制御装置。
【請求項５】
前記パラメータ制御手段は、前記応答タイマ値を設定し、前記疑似着信制御手段へ成功率の測定を指示し、
前記疑似着信制御手段は、任意の回数の疑似着信を行った後、前記成功率を測定し、
前記パラメータ制御手段は、前記成功率に応じて、前記応答タイマ値を決定することを特徴とする請求項３または４記載の制御装置。
【請求項６】
前記疑似着信制御手段は、パラメータの設定が必要なときであって、通信端末が自装置の制御領域に存在するときに起動されることを特徴とする請求項１乃至５のいずれか一項に記載の制御装置。
【請求項７】
前記制御装置は、無線通信を制御する無線基地局と、前記無線基地局を制御する基地局制御局とのいずれか一方であることを特徴とする請求項１乃至６のいずれか一項に記載の制御装置。
【請求項８】
制御装置が通信端末の無線通信を制御する移動通信システムであって、
前記制御装置は、
データを転送する通信手段と、
無線リンク制御を行う無線リンク制御手段と、
無線リンク制御に使用するパラメータを設定するパラメータ制御手段と、
前記パラメータを含む報知情報を生成する報知情報生成手段と、
前記通信手段を介して前記報知情報が通信端末に報知された後、前記通信端末へ疑似着信を複数回行い、前記疑似着信に応じた応答を用いて前記疑似着信の成功率を測定する疑似着信制御手段と、を備え、
前記パラメータ制御手段は、前記疑似着信制御手段が測定した成功率に応じて、前記パラメータを更新し、
前記通信端末は、
前記報知情報に含まれるパラメータを用いて、自装置内のパラメータ値を更新する報知情報受信部と、
前記疑似着信を受信する端末無線受信部と、
前記疑似着信に応じた応答を送信する端末無線送信部と、を備える移動通信システム。
【請求項９】
移動通信システムの制御装置が無線リンク制御に使用するパラメータを設定する無線通信制御方法であって、
前記パラメータを設定し、
前記パラメータを含む報知情報を生成し、
前記報知情報が通信端末に通信手段を介して報知し、
前記通信端末へ疑似着信を複数回行い、
前記通信端末からの応答に応じて、前記疑似着信の成功率を測定し、
測定した成功率に応じて、前記パラメータを更新する無線通信制御方法。
【請求項１０】
移動通信システムの制御装置が無線リンク制御に使用するパラメータを設定する無線通信制御方法を実現するプログラムであって、
コンピュータに、
前記パラメータを設定するパラメータ制御手順と、
前記パラメータを含む報知情報を生成する報知情報生成手順と、
前記通信手段を介して前記報知情報が通信端末に報知された後、前記通信端末へ疑似着信を複数回行い、前記疑似着信に応じた応答を用いて前記疑似着信の成功率を測定する疑似着信制御手順と、
測定した成功率に応じて、前記パラメータを更新するパラメータ更新手順と、を実行させるプログラム。
【国際調査報告】
2011089671.tif 000010
2011089671.tif 000011
2011089671.tif 000012
2011089671.tif 000013